(57)【要約】【課題】光のプリズム効果を最大限発揮することにより、視覚的に優れた美感を発揮するガラス置物を提供する【解決手段】ガラス置物１００は、無色透明のガラス部材からなり、内部に三次元オブジェ１０３が形成されている本体部１０２と、有色のガラス部材を含み、本体部１０２の下方に設けられている土台部１０１と、本体部１０２と土台部１０１との間に設けられ、本体部１０２の下面と土台部１０１の上面との外周形状が略同一である中間部１１０とを備え、本体部１０２、土台部１０１および中間部１１０は、接合一体化されてなり、中間部１１０は、光を反射することにより色彩を帯びる薄膜の反射膜である。【選択図】図１
0003172410.tif 000002
【実用新案登録請求の範囲】
【請求項１】
無色透明のガラス部材からなり、内部に三次元オブジェが形成されている本体部と、
有色のガラス部材を含み、前記本体部の下方に設けられている土台部と、
前記本体部と前記土台部との間に設けられ、前記本体部の下面と前記土台部の上面との外周形状が略同一である中間部とを備え、
前記本体部、前記土台部および前記中間部は、接合一体化されてなり、
前記中間部は、光を反射することにより色彩を帯びる薄膜の反射膜である
ガラス置物。
【請求項２】
前記反射膜は、酸化チタン層と二酸化ケイ素層とが交互に、かつ、多層に設けられている
請求項１に記載のガラス置物。
【請求項３】
前記本体部の下面および前記土台部の上面のうち一方には、前記中間部が形成され、前記本体部の下面および前記土台部の上面のうち他方は、接着剤で前記中間部と接着され、
前記接着剤は、光を透過し、かつ、紫外線によって硬化する性質を有する
請求項１または２に記載のガラス置物。
【請求項４】
前記土台部は、有色であり、かつ、単色である透明のガラス部材からなる
請求項１〜３のいずれか１項に記載のガラス置物。
【請求項５】
前記ガラス置物は、水平断面の面積が上方に向かって徐々に小さくなる形状である
請求項１〜４のいずれか１項に記載のガラス置物。
【考案の詳細な説明】
【技術分野】
【０００１】
本考案はガラス置物に関し、特に、内部に三次元オブジェが形成されたガラス置物に関する。
【背景技術】
【０００２】
従来、底面にアルミ等による反射面と、正面に対して斜方向に切欠いてなる切欠き面とを有するガラス置物であって、内部に三次元オブジェが形成されたガラス置物が提案されている（例えば、特許文献１参照）。特許文献１に記載のガラス置物は、光のプリズム効果を発揮することにより、視覚的に美しく見せることを実現している。
【０００３】
また、従来、無色透明のガラス部材からなり、内部に三次元オブジェが形成されている本体部と、有色のガラス部材を含み、本体部の下方に本体部と接合一体化されてなる土台部とを備え、本体部と土台部との間の接合部分の外周形状は略同一であるガラス置物が提案されている（例えば、特許文献２参照）。特許文献２に記載のガラス置物は、土台部の色を変更することにより、視覚的に異なる美感を発揮させることが可能である。
【先行技術文献】
【特許文献】
【０００４】
【特許文献１】実用新案登録第３０９５６５０号公報
【特許文献２】実用新案登録第３１５１４７０号公報
【考案の概要】
【考案が解決しようとする課題】
【０００５】
しかしながら、特許文献１に記載のガラス置物は、ガラス加工品の底面にアルミ被膜を反射面として形成することにより、光のプリズム効果を発揮することが可能であり、また、ガラス加工品と載置台とは、中性の両面テープで接着されている。したがって、両面テープが剥れた場合等に、空気中の酸素や水分が反射面に付着することにより、反射面の腐食による光のプリズム効果の低下が生じるといった問題がある。
【０００６】
また、特許文献２に記載のガラス置物は、特許文献１に記載の反射面のような、光のプリズム効果を発揮するための処理を施していないため、光のプリズム効果を発揮することにより、視覚的に美しく見せることができないという問題があった。
【０００７】
そこで、本考案は、上記課題を鑑みてなされたものであって、光のプリズム効果を最大限に発揮することにより、視覚的に優れた美感を発揮するガラス置物を提供することを目的とする。
【課題を解決するための手段】
【０００８】
上記の目的を達成するために、本考案に係るガラス置物は、無色透明のガラス部材からなり、内部に三次元オブジェが形成されている本体部と、有色のガラス部材を含み、前記本体部の下方に設けられている土台部と、前記本体部と前記土台部との間に設けられ、前記本体部の下面と前記土台部の上面との外周形状が略同一である中間部とを備え、前記本体部、前記土台部および前記中間部は、接合一体化されてなり、前記中間部は、光を反射することにより色彩を帯びる薄膜の反射膜である。
【０００９】
これにより、反射膜は、光を反射することにより、色彩を帯びる性質を有するため、光の屈折効果により、光のプリズム効果を発揮することが可能である。
【００１０】
また、本体部と土台部とは、光のプリズム効果を発揮するための中間部を介して接合一体化されている。したがって、空気中の酸素や水分が中間部に付着することができないため、中間部である薄膜の反射膜の腐食による光のプリズム効果の低下を防止することが可能である。
【００１１】
上記により、光のプリズム効果を最大限に発揮することが可能であるので、視覚的に優れた美感を発揮するガラス置物を提供することができる。
【００１２】
また、前記反射膜は、酸化チタン層と二酸化ケイ素層とが交互に、かつ、多層に設けられていることが好ましい。
【００１３】
これにより、酸化チタン層および二酸化ケイ素層は、光を反射する性質を有するため、光の屈折効果により、光のプリズム効果を発揮することが可能である。
【００１４】
また、前記本体部の下面および前記土台部の上面のうち一方には、前記中間部が形成され、前記本体部の下面および前記土台部の上面のうち他方は、接着剤で前記中間部と接着され、前記接着剤は、光を透過し、かつ、紫外線によって硬化する性質を有することが好ましい。
【００１５】
これにより、酸化チタン層および二酸化ケイ素層は、紫外線で硬化する接着剤で本体部の下面と中間部、または、土台部の上面と中間部とを接着することが可能である。また、接着剤自体が光を透過する性質を有するため、光のプリズム効果を妨げることなく、その効果を最大限に発揮することが可能である。
【００１６】
また、前記土台部は、有色であり、かつ、単色である透明のガラス部材からなることが好ましい。
【００１７】
これにより、土台部の色を変更することにより、光のプリズム効果との相乗効果とともに、視覚的に異なる美感を発揮させることが可能である。
【００１８】
また、前記ガラス置物は、水平断面の面積が上方に向かって徐々に小さくなる形状であることが好ましい。
【００１９】
これにより、装飾性、美感性を高めることができ、トロフィーなどのガラス置物に好適となる。
【考案の効果】
【００２０】
上記説明から明らかなように、本考案に係るガラス置物は、光のプリズム効果を最大限に発揮することにより、視覚的に優れた美感を発揮するガラス置物を提供することが可能である。
【図面の簡単な説明】
【００２１】
【図１】本考案の実施の形態に係るガラス置物の正面図である。
【図２Ａ】本考案の実施の形態に係るガラス置物の中間部付近を示す図である。
【図２Ｂ】本考案の実施の形態に係るガラス置物の中間部付近を示す図（変形例）である。
【図３Ａ】本考案の実施の形態に係るガラス置物の形状を説明するための正面図である。
【図３Ｂ】本考案の実施の形態に係るガラス置物の形状を説明するための右側面図である。
【図３Ｃ】本考案の実施の形態に係るガラス置物の形状を説明するための上面図である。
【考案を実施するための形態】
【００２２】
以下、本考案の実施の形態について、図面を参照しながら説明する。なお、各図は、模式図であり、必ずしも厳密に図示したものではない。また、以下で説明する実施の形態は、いずれも本考案の好ましい一具体例を示すものである。以下の実施の形態で示される数値、形状、材料、構成要素、構成要素の配置位置および接続形態等は、一例であり、本考案を限定する主旨ではない。本考案は、請求の範囲だけによって限定される。よって、以下の実施の形態における構成要素のうち、本考案の最上位概念を示す独立請求項に記載されていない構成要素については、本考案の課題を達成するのに必ずしも必要ではないが、より好ましい形態を構成するものとして説明される。
【００２３】
図１は、本考案の実施の形態に係るガラス置物の正面図である。
【００２４】
図２Ａは、本考案の実施の形態に係るガラス置物の中間部付近を示す図である。
【００２５】
本考案の実施の形態に係るガラス置物１００は、土台部１０１、本体部１０２、三次元オブジェ１０３および中間部１１０を備える。
【００２６】
土台部１０１は、本体部１０２の下方に設けられており、青、緑、赤などの任意の色に着色された有色透明のガラス部材からなる。具体的には、土台部１０１は、例えば、緑色のガラス材料を用いて作成される。
【００２７】
本体部１０２は、無色透明のガラス部材からなる。具体的には、本体部１０２は、例えば、Ｋ９クラスの光学ガラスからなる。本体部１０２の内部には、三次元オブジェ１０３が形成されている。
【００２８】
三次元オブジェ１０３は、レーザ等を用いて本体部１０２の内部に小さな点状の傷を複数付けることにより形成される立体形状である。具体的には、三次元オブジェ１０３は、コンピュータ制御によりレーザの焦点を制御することによって、高温で気体となった複数の小さな点が任意の三次元形状を形成するように本体部１０２の内部に設けられたものである。このように三次元オブジェ１０３は、本体部１０２の内部に形成されるため、磨耗することがない。また、鑑賞者は、三次元オブジェ１０３をガラス置物１００の底面を含めてすべての方向より可視することができる。
【００２９】
なお、本実施の形態では、三次元オブジェ１０３は、アルファベットの「Ｋ」、鹿の形状及び地球儀の形状であるが、他の文字、肖像、又は世界地図等の立体形状であってもよい。
【００３０】
中間部１１０は、本体部１０２と土台部１０１との間に、本体部１０２の下面と本体部１０１との外周形状が略同一となるように構成される。図２Ａに示すように、土台部１０１の上面に、中間部１１０として酸化チタン層２００と二酸化ケイ素層２１０とが交互に、かつ、多層に積層形成される。そして、本体部１０２の下面と、土台部１０１の上面に積層された、酸化チタン層２００とを接着剤２２０で接着されることにより、本体部１０２、土台部１０１および中間部１１０が接合一体化される。この際、気体等の不純物が入らないように、土台部１０１の下面と本体部１０２の上面が研磨された後に、土台部１０１、本体部１０２および中間部１１０は接合一体化される。また、土台部１０１と本体部１０２との中間部１１０の外周形状が略同一となるように、接合後に中間部１１０付近の外周が研磨される。
【００３１】
なお、本体部１０２の下面と、土台部１０１の上面に積層された、二酸化ケイ素層２１０とを接着剤２２０で接着されることにより、本体部１０２、土台部１０１および中間部１１０が接合一体化されていてもよい。
【００３２】
このように土台部１０１、本体部１０２および中間部１１０が接合一体化されることにより、ガラス置物１００が１つの部材で構成されているかのような視覚的効果を発揮する。
【００３３】
また、酸化チタン層２００および二酸化ケイ素層２１０は、光を反射する性質を有するため、光の屈折効果により、光のプリズム効果を生み出すことが可能である。
【００３４】
また、土台部１０１と本体部１０２とは、光のプリズム効果を発揮するための中間部１１０を介して接合一体化されている。したがって、空気中の酸素や水分が中間部に付着することができないため、中間部１１０である酸化チタン層２００および二酸化ケイ素層２１０の腐食による光のプリズム効果の低下を防止することが可能である。
【００３５】
また、本実施の形態において、接着剤２２０は、光を透過し、かつ、紫外線によって硬化する性質を有するものを使用している。
【００３６】
これにより、酸化チタン層２００および二酸化ケイ素層２１０は、紫外線で硬化する接着剤２２０で本体部１０２の下面と中間部、または、土台部１０１の上面と中間部とを接着することが可能である。
【００３７】
また、接着剤２２０自体が光を透過する性質を有するため、光のプリズム効果を妨げることなく、その効果を最大限に発揮することが可能である。
【００３８】
なお、図２Ｂに示すように、本体部１０２の下面に、中間部１１０として酸化チタン層２００と二酸化ケイ素層２１０とが交互に、かつ、多層に積層形成されていてもよい。この際、土台部１０１の上面と、本体部１０２の下面に積層された、二酸化ケイ素層２１０とを接着剤２２０で接着されることにより、本体部１０２、土台部１０１および中間部１１０が接合一体化される。また、土台部１０１の上面と、本体部１０２の下面に積層された、酸化チタン層２００とを接着剤２２０で接着されることにより、本体部１０２、土台部１０１および中間部１１０が接合一体化されていてもよい。
【００３９】
また、土台部１０１の上面または本体部１０２の下面に層を形成する順序は、酸化チタン層２００から形成し始めても、二酸化ケイ素層２１０から形成し始めてもよい。
【００４０】
図３Ａは、本考案の実施の形態に係るガラス置物の形状を説明するための正面図である。
【００４１】
図３Ｂは、本考案の実施の形態に係るガラス置物の形状を説明するための右側面図である。
【００４２】
図３Ｃは、本考案の実施の形態に係るガラス置物の形状を説明するための上面図である。
【００４３】
なお、図３Ａ〜図３Ｃにおいて、三次元オブジェ１０３の図示は省略している。
【００４４】
本実施の形態に係るガラス置物１００は、８つの側面２０と、上面３０と、底面４０と、８つの上部切欠き面と５０と、８つの底部切欠き面と６０とに囲まれた立体形状を有する。
【００４５】
図３Ａ〜図３Ｃに示すように、８つの側面２０のうち、正面の側面２０は、他の側面２０より大きく、また、背面の側面２０は、他の側面２０より小さくなっている。なお、上記は、８つの上部切欠き面と５０および８つの底部切欠き面６０についても同様である。
【００４６】
図３Ａ〜図３Ｃにおいて、本実施の形態におけるガラス置物１００の大きさは、例えば、Ｈ１（土台部１０１の高さ）が約１８ｍｍ、Ｈ２（本体部１０２の高さ）が約９７ｍｍ、Ａ１が約４５ｍｍ、Ａ２が約１６ｍｍ、Ｂ１が約３６ｍｍ、Ｂ２が約１４ｍｍである。
【００４７】
本実施の形態に係るガラス置物１００の形状により、側面２０、上面３０、底面４０、上部切欠き面５０、底部切欠き面６０において、様々な屈折角により光が出射されるため、光のプリズム効果を得た色彩感のあるガラス置物１００とすることができる。例えば、ガラス置物１００の鑑賞者は、側面２０は青、上面３０は赤、底面４０は黄、上部切欠き面５０は橙、底部切欠き面６０は透明といった色彩を視覚的に認識することが可能となる。
【００４８】
また、視点の位置により、ガラス置物１００の色彩が光のプリズム効果により変化することにより、飽きのこない色彩を有するガラス置物１００とすることが可能である。
【００４９】
さらに、本実施の形態に係るガラス置物１００は、本体部１０２の内部に三次元オブジェ１０３をレーザ等により形成されているため、光のプリズム効果による色彩感とともに三次元オブジェ１０３をより美しく表現することが可能である。
【００５０】
なお、ガラス置物１００の形状は、他の形状、例えば、六角柱形状等でもよい。
【００５１】
以上のように、本実施の形態に係るガラス置物１００は、本体部１０２と土台部１０１との間に、中間部１１０として反射膜が設けられており、反射膜は、光を反射することにより、色彩を帯びる性質を有するため、光の屈折効果により、光のプリズム効果を発揮することが可能である。また、本体部１０２と土台部１０１とは、光のプリズム効果を発揮するための中間部１１０を介して接合一体化されている。したがって、空気中の酸素や水分が中間部１１０に付着することができないため、中間部１１０である薄膜の反射膜の腐食による光のプリズム効果の低下を抑制することが可能である。上記により、光のプリズム効果を最大限に発揮することが可能であるので、視覚的に優れた美感を発揮するガラス置物１００を提供することができる。
【００５２】
以上、本考案に係るガラス置物について、実施の形態に基づいて説明したが、本考案は、これらの実施の形態に限定されるものではない。本考案の趣旨を逸脱しない限り、当業者が思いつく各種変形を本実施の形態に施したものや、異なる実施の形態における構成要素を組み合わせて構築される形態も、本考案の範囲内に含まれる。
【００５３】
例えば、本実施の形態では、土台部は、単色の色つきガラス部材から構成されるが、複数の色からなる有色透明のガラス部材から構成されてもよい。また、土台部は、その一部に無色透明な部分を含んでもよい。
【００５４】
また、本実施の形態では、本体部にのみ三次元オブジェが形成されていたが、土台部にも三次元オブジェが形成されてもよい。
【産業上の利用可能性】
【００５５】
本考案は、例えば、表彰者に対して贈呈され、記念品となるガラス置物に適用することができる。
【符号の説明】
【００５６】
２０  側面
３０  上面
４０  底面
５０  上部切欠き面
６０  底部切欠き面
１００  ガラス置物
１０１  土台部
１０２  本体部
１０３  三次元オブジェ
１１０  中間部
２００  酸化チタン層
２１０  二酸化ケイ素層
２２０  接着剤
【図１】
0003172410.tif 000003
【図２Ａ】
0003172410.tif 000004
【図２Ｂ】
0003172410.tif 000005
【図３Ａ】
0003172410.tif 000006
【図３Ｂ】
0003172410.tif 000007
【図３Ｃ】
0003172410.tif 000008